(57)【特許請求の範囲】
【請求項１】
第１の電流信号を受信するように構成された第１の導電モジュールと、
第２の電流信号を受信し、前記第２の電流信号に基づいて電圧信号を生成し、前記第１の導電モジュールに前記電圧信号を印加するように構成された変換モジュールと、ここにおいて、前記変換モジュールによって受信される前記第２の電流信号の量が、前記第１の導電モジュールを通って流れる前記第１の電流信号の量に基づく、
前記電圧信号に基づいて出力電流信号を制御するように構成された第２の導電モジュールと、ここにおいて、前記出力電流信号が、帯域内周波数について前記第１の電流信号の線形複製になるように制御される、を備え、
前記変換モジュールが双二次増幅器を備え、前記第１の導電モジュールが、第１のキャパシタと、第１の抵抗器と、前記双二次増幅器からの前記電圧信号に基づいて動作するように構成された第１のトランジスタとを備える、ベースバンドフィルタを線形化するための装置。
【請求項２】
ここにおいて、前記双二次増幅器の非反転入力が電流源に結合され、
ここにおいて、前記第１のトランジスタのドレインが前記電流源に結合され、前記第１のトランジスタのゲートが前記双二次増幅器の出力に結合され、前記第１のトランジスタのソースが、前記第１のキャパシタの第１のノードと前記第１の抵抗器の第１のノードとに結合され、
ここにおいて、前記第１のキャパシタの第２のノードおよび前記第１の抵抗器の第２のノードが接地ノードに結合された、請求項１に記載の装置。
【請求項３】
前記第１のトランジスタが、前記双二次増幅器からの前記電圧信号に基づいて動作するように構成されたとき、前記第１のトランジスタが、前記第１のキャパシタおよび前記第１の抵抗器に向かって前記第１のトランジスタの前記ドレインから前記ソースへ前記第１の電流信号を流すように構成され、
ここにおいて、前記第１のトランジスタを通って流れる前記第１の電流信号の前記量が、前記第１のキャパシタによって蓄積される前記第１の電流信号に関連するエネルギーの量と、前記第１の抵抗器によって散逸される前記第１の電流信号に関連するエネルギーの量とに基づく、請求項２に記載の装置。
【請求項４】
最高帯域内周波数よりも高い周波数において、前記第１のトランジスタを通って流れる前記第１の電流信号の前記量が、前記双二次増幅器によって受信される前記第２の電流信号の前記量を低減する、請求項３に記載の装置。
【請求項５】
前記第２の導電モジュールが、第２の抵抗器と、第２のキャパシタと、第３の抵抗器と、第２のトランジスタとを備え、
ここにおいて、前記第２の抵抗器の第１のノードが、前記双二次増幅器の前記出力と前記第１のトランジスタの前記ゲートとに結合され、前記第２の抵抗器の第２のノードが、前記第２のキャパシタの第１のノードと前記第２のトランジスタのゲートとに結合され、
ここにおいて、前記第２のキャパシタの前記第１のノードが、前記第２の抵抗器の前記第２のノードと前記第２のトランジスタの前記ゲートとに結合され、前記第２のキャパシタの第２のノードが前記接地ノードに結合され、
ここにおいて、前記第３の抵抗器の第１のノードが前記第２のトランジスタのソースに結合され、前記第３の抵抗器の第２のノードが前記接地ノードに結合され、
ここにおいて、前記第２のトランジスタの前記ソースが前記第３の抵抗器の前記第１のノードに結合され、
ここにおいて、前記出力電流信号が前記第２のトランジスタのドレインを通って流れる、請求項２に記載の装置。
【請求項６】
前記出力電流信号は、
前記双二次増幅器が、前記第２のトランジスタの前記ゲートに印加されるように前記第２の抵抗器にわたって前記電圧信号を流すことと、
前記第２のトランジスタが、前記第２のトランジスタの前記ゲートに印加された前記電圧信号に基づいて動作し、前記第２のトランジスタの前記ドレインと前記ソースとの間に前記出力電流信号を流すことと、によって前記第１の電流信号の前記線形複製になるように制御される、請求項５に記載の装置。
【請求項７】
前記第２のトランジスタの前記ゲートにおける前記電圧信号の量が、前記第２の抵抗器によって散逸される前記電圧信号に関連するエネルギーの量と、前記散逸の後に前記第２のキャパシタによって蓄積される前記電圧信号に関連するエネルギーの量とに基づく、請求項６に記載の装置。
【請求項８】
前記第２のトランジスタを通って流れる前記出力電流信号の前記量が、前記第３の抵抗器によって散逸される前記出力電流信号に関連するエネルギーの量に基づく、請求項６に記載の装置。
【請求項９】
前記第２のトランジスタのサイズが前記第１のトランジスタのサイズのｎ倍であり、ここで、ｎが実数である、請求項５に記載の装置。
【請求項１０】
前記第１の抵抗器の値が前記第３の抵抗器の値のｎ倍であり、ここにおいて、ｎが実数である、請求項５に記載の装置。
【請求項１１】
第１の導電モジュールを介して第１の電流信号を受信することと、
変換モジュールを介して第２の電流信号を受信することと、
前記変換モジュールを介して、前記第２の電流信号に基づいて電圧信号を生成し、前記第１の導電モジュールに前記電圧信号を印加することと、ここにおいて、前記変換モジュールによって受信される前記第２の電流信号の量が、前記第１の導電モジュールを通って流れる前記第１の電流信号の量に基づく、
第２の導電モジュールを介して、前記電圧信号に基づいて出力電流信号を制御することと、ここにおいて、前記出力電流信号が、帯域内周波数について前記第１の電流信号の線形複製になるように制御される、を備え、
前記変換モジュールが双二次増幅器を備え、前記第１の導電モジュールが、第１のキャパシタと、第１の抵抗器と、前記双二次増幅器からの前記電圧信号に基づいて動作するように構成された第１のトランジスタとを備える、ベースバンドフィルタを線形化するための方法。
【請求項１２】
前記双二次増幅器の非反転入力が電流源に結合され、
ここにおいて、前記第１のトランジスタのドレインが前記電流源に結合され、前記第１のトランジスタのゲートが前記双二次増幅器の出力に結合され、前記第１のトランジスタのソースが、前記第１のキャパシタの第１のノードと前記第１の抵抗器の第１のノードとに結合され、
ここにおいて、前記第１のキャパシタの第２のノードおよび前記第１の抵抗器の第２のノードが接地ノードに結合された、請求項１１に記載の方法。
【請求項１３】
前記第１のトランジスタが、前記双二次増幅器からの前記電圧信号に基づいて動作するとき、前記第１のトランジスタが、前記第１のキャパシタおよび前記第１の抵抗器に向かって前記第１のトランジスタの前記ドレインから前記ソースへ前記第１の電流信号を、流し、
ここにおいて、前記第１のトランジスタを通って流れる前記第１の電流信号の前記量が、前記第１のキャパシタによって蓄積される前記第１の電流信号に関連するエネルギーの量と、前記第１の抵抗器によって散逸される前記第１の電流信号に関連するエネルギーの量とに基づく、請求項１２に記載の方法。
【請求項１４】
最高帯域内周波数よりも高い周波数において、前記第１のトランジスタを通って流れる前記第１の電流信号の前記量が、前記双二次増幅器によって受信される前記第２の電流信号の前記量を低減する、請求項１３に記載の方法。
【請求項１５】
前記第２の導電モジュールが、第２の抵抗器と、第２のキャパシタと、第３の抵抗器と、第２のトランジスタとを備え、
ここにおいて、前記第２の抵抗器の第１のノードが、前記双二次増幅器の前記出力と前記第１のトランジスタの前記ゲートとに結合され、前記第２の抵抗器の第２のノードが、前記第２のキャパシタの第１のノードと前記第２のトランジスタのゲートとに結合され、
ここにおいて、前記第２のキャパシタの前記第１のノードが、前記第２の抵抗器の前記第２のノードと前記第２のトランジスタの前記ゲートとに結合され、前記第２のキャパシタの第２のノードが前記接地ノードに結合され、
ここにおいて、前記第３の抵抗器の第１のノードが前記第２のトランジスタのソースに結合され、前記第３の抵抗器の第２のノードが前記接地ノードに結合され、
ここにおいて、前記第２のトランジスタの前記ソースが前記第３の抵抗器の前記第１のノードに結合され、
ここにおいて、前記出力電流信号が前記第２のトランジスタのドレインを通って流れる、請求項１２に記載の方法。
【発明の詳細な説明】
【技術分野】
【０００１】
関連出願の相互参照
[0001]本出願は、それらの全体が参照により本明細書に明確に組み込まれる、２０１５年４月１日に出願された「LINEARIZING SCHEME FOR BASEBAND FILTER WITH ACTIVE FEEDBACK」と題する米国仮出願第６２／１４１，６８５号、および２０１５年７月２２日に出願された「LINEARIZING SCHEME FOR BASEBAND FILTER WITH ACTIVE FEEDBACK」と題する米国特許出願第１４／８０６，３３４号の利益を主張する。
【０００２】
[0002]本開示は、一般に通信システムに関し、より詳細には、ベースバンドフィルタを線形化するための装置および方法に関する。
【背景技術】
【０００３】
[0003]ワイヤレスデバイス（たとえば、セルラーフォンまたはスマートフォン）は、ワイヤレス通信システムとの双方向通信のためのデータを送信および受信し得る。ワイヤレスデバイスは、データ送信のための送信機と、データ受信のための受信機とを含み得る。データ送信では、送信機は、変調された無線周波数（ＲＦ）信号を取得するために送信局部発振器（ＬＯ：local oscillator）信号をデータで変調し、所望の出力電力レベルを有する出力ＲＦ信号を取得するために変調されたＲＦ信号を増幅し、アンテナを介して出力ＲＦ信号を基地局に送信し得る。データ受信では、受信機は、アンテナを介して受信ＲＦ信号を取得し、受信ＲＦ信号を受信ＬＯ信号でダウンコンバートし、ダウンコンバートされた信号を処理して、基地局によって送られたデータを復元し得る。
【０００４】
[0004]低電力を消費しながら高品質の送信および受信が可能なワイヤレスデバイスを有する需要が増加している。高品質を達成することへの１つの鍵は、デバイスの送信機の性能に関連する。たとえば、それの出力電力範囲全体にわたって効率的に動作する送信機を有することが望ましい。
【０００５】
[0005]既存の送信機設計では、ベースバンド（ＢＢ）フィルタおよびアップコンバータ（ミキサ）は、ベースバンド信号をフィルタ処理し、フィルタ処理された信号を送信のために無線周波数（ＲＦ）にアップコンバートするために使用される。一般に、ベースバンドフィルタとアップコンバータの両方が、最大電力における厳しい線形性要件を満たすために、出力電力範囲全体にわたって動作するように構成される。しかしながら、ベースバンドフィルタを線形化する既存の送信機設計は、限られた雑音性能および／または電力性能を与え得る。そのような既存の送信機設計はまた、デバイスエリアの比較的大きい部分を消費するモジュール／要素の使用により、デバイスエリアを非効率的に利用し得る。したがって、ワイヤレスデバイスにおいて使用するためのベースバンドフィルタを線形化するためのより効率的な方式を有することが望ましい。
【発明の概要】
【０００６】
[0006]本開示の一態様では、ベースバンドフィルタを線形化するための方法および装置が提供される。本装置は、第１の導電モジュールを介して、第１の電流信号を受信するように構成される。本装置は、変換モジュールを介して、第２の電流信号を受信し、第２の電流信号に基づいて電圧信号を生成し、第１の導電モジュールに電圧信号を印加するようにさらに構成される。変換モジュールによって受信される第２の電流信号の量が、第１の導電モジュールを通って流れる第１の電流信号の量に基づく。本装置はまた、第２の導電モジュールを介して、電圧信号に基づいて出力電流信号を制御するように構成される。出力電流信号は、帯域内周波数について第１の電流信号の線形複製（linear replica）になるように制御される。
【０００７】
[0007]別の態様では、ベースバンドフィルタを線形化するために、第１の電流信号が第１の導電モジュールを介して受信される。さらに、第２の電流信号が変換モジュールを介して受信される。さらに、第２の電流信号に基づく電圧信号が生成され、その電圧信号は第１の導電モジュールに印加される。変換モジュールによって受信される第２の電流信号の量が、第１の導電モジュールを通って流れる第１の電流信号の量に基づく。出力電流信号は第２の導電モジュールを介して制御される。さらに、出力電流信号は電圧信号に基づく。出力電流信号は、帯域内周波数について第１の電流信号の線形複製になるように制御される。
【０００８】
[0008]さらなる態様では、ベースバンドフィルタを線形化するための本装置は、第１の電流信号を受信するための第１の導電手段と、第２の電流信号を受信し、第２の電流信号に基づいて電圧信号を生成し、第１の導電手段にその電圧信号を印加するための変換手段と、ここにおいて、変換手段によって受信される第２の電流信号の量が、第１の導電手段を通って流れる第１の電流信号の量に基づく、電圧信号に基づいて出力電流信号を制御するための第２の導電手段と、ここにおいて、出力電流信号は、帯域内周波数について第１の電流信号の線形複製になるように制御される、を含む。
【図面の簡単な説明】
【０００９】
【図１】[0009]本開示のいくつかの態様による、異なるワイヤレス通信システムと通信するワイヤレスデバイスを示す図。
【図２】[0010]本開示のいくつかの態様による、ワイヤレスデバイスのブロック図。
【図３】[0011]ベースバンドフィルタアーキテクチャの一例を示す図。
【図４】[0012]ベースバンドフィルタアーキテクチャの別の例を示す図。
【図５】[0013]本開示のいくつかの態様による、アクティブフィードバックを使用してベースバンドフィルタを線形化するための装置のブロック図。
【図６】[0014]本開示のいくつかの態様による、アクティブフィードバックを使用してベースバンドフィルタを線形化するための図５の装置の回路図。
【図７】[0015]本開示のいくつかの態様による、ベースバンドフィルタを線形化するための方法のフローチャート。
【詳細な説明】
【００１０】
[0016]添付の図面に関して以下に記載される詳細な説明は、様々な構成を説明するものであり、本明細書で説明される概念が実施され得る構成のみを表すものではない。詳細な説明は、様々な概念の完全な理解を与えるための具体的な詳細を含む。ただし、これらの概念はこれらの具体的な詳細なしに実施され得ることが当業者には明らかであろう。いくつかの事例では、そのような概念を不明瞭にしないように、よく知られている構造および構成要素がブロック図の形式で示される。「例示的」という用語は、本明細書では、「例、事例、または例示の働きをすること」を意味するために使用される。「例示的」として本明細書で説明されるいかなる設計も、必ずしも他の設計よりも好ましいまたは有利であると解釈されるべきであるとは限らない。
【００１１】
[0017]次に、様々な装置および方法に関して電気通信システムのいくつかの態様が提示される。これらの装置および方法が、以下の詳細な説明において説明され、（「要素」と総称される）様々なブロック、モジュール、構成要素、回路、ステップ、プロセス、アルゴリズムなどによって添付の図面に示される。これらの要素は、電子ハードウェア、コンピュータソフトウェア、またはそれらの任意の組合せを使用して実装され得る。そのような要素がハードウェアとして実装されるかソフトウェアとして実装されるかは、特定の適用例および全体的なシステムに課される設計制約に依存する。
【００１２】
[0018]例として、要素、または要素の任意の部分、または要素の任意の組合せは、１つまたは複数のプロセッサを含む「処理システム」を用いて実装され得る。プロセッサの例としては、マイクロプロセッサ、マイクロコントローラ、デジタル信号プロセッサ（ＤＳＰ）、フィールドプログラマブルゲートアレイ（ＦＰＧＡ）、プログラマブル論理デバイス（ＰＬＤ）、状態機械、ゲート論理、個別ハードウェア回路、および本開示全体にわたって説明される様々な機能を実行するように構成された他の好適なハードウェアがある。処理システム中の１つまたは複数のプロセッサはソフトウェアを実行し得る。ソフトウェアは、ソフトウェア、ファームウェア、ミドルウェア、マイクロコード、ハードウェア記述言語などの名称にかかわらず、命令、命令セット、コード、コードセグメント、プログラムコード、プログラム、サブプログラム、ソフトウェアモジュール、アプリケーション、ソフトウェアアプリケーション、ソフトウェアパッケージ、ルーチン、サブルーチン、オブジェクト、実行ファイル、実行スレッド、プロシージャ、関数などを意味すると広く解釈されたい。
【００１３】
[0019]したがって、１つまたは複数の例示的な実施形態では、説明される機能は、ハードウェア、ソフトウェア、ファームウェア、またはそれらの任意の組合せで実装され得る。ソフトウェアで実装される場合、機能は、コンピュータ可読媒体上に記憶されるか、あるいはコンピュータ可読媒体上に１つまたは複数の命令またはコードとして符号化され得る。コンピュータ可読媒体はコンピュータ記憶媒体を含む。記憶媒体は、コンピュータによってアクセスされ得る任意の利用可能な媒体であり得る。限定ではなく例として、そのようなコンピュータ可読媒体は、ランダムアクセスメモリ（ＲＡＭ）、読取り専用メモリ（ＲＯＭ）、電子的消去可能プログラマブルＲＯＭ（ＥＥＰＲＯＭ（登録商標））、コンパクトディスク（ＣＤ）ＲＯＭ（ＣＤ−ＲＯＭ）または他の光ディスクストレージ、磁気ディスクストレージまたは他の磁気ストレージデバイス、あるいは命令またはデータ構造の形態の所望のプログラムコードを搬送または記憶するために使用され得、コンピュータによってアクセスされ得る、任意の他の媒体を備えることができる。本明細書で使用されるディスク（disk）およびディスク（disc）は、ＣＤ、レーザーディスク（登録商標）（disc）、光ディスク（disc）、デジタル多用途ディスク（disc）（ＤＶＤ）、およびフロッピー（登録商標）ディスク（disk）を含み、ここで、ディスク（disk）は、通常、データを磁気的に再生し、ディスク（disc）は、データをレーザーで光学的に再生する。上記の組合せもコンピュータ可読媒体の範囲内に含まれるべきである。
【００１４】
[0020]図１は、本開示のいくつかの態様による、異なるワイヤレス通信システム１２０、１２２と通信するワイヤレスデバイス１１０を示す図１００である。ワイヤレスシステム１２０、１２２はそれぞれ、符号分割多元接続（ＣＤＭＡ）システム、モバイル通信用グローバルシステム（ＧＳＭ（登録商標）：Global System for Mobile Communications）システム、ロングタームエボリューション（ＬＴＥ（登録商標））システム、ワイヤレスローカルエリアネットワーク（ＷＬＡＮ）システム、または何らかの他のワイヤレスシステムであり得る。ＣＤＭＡシステムは、広帯域ＣＤＭＡ（ＷＣＤＭＡ（登録商標））、ＣＤＭＡ  １Ｘまたはｃｄｍａ２０００、時分割同期符号分割多元接続（ＴＤ−ＳＣＤＭＡ：Time Division Synchronous Code Division Multiple Access）、またはＣＤＭＡの何らかの他のバージョンを実装し得る。ＴＤ−ＳＣＤＭＡは、ユニバーサル地上無線アクセス（ＵＴＲＡ：Universal Terrestrial Radio Access）時分割複信（ＴＤＤ）１．２８Ｍｃｐｓオプションまたは低チップレート（ＬＣＲ）とも呼ばれる。ＬＴＥは、周波数分割複信（ＦＤＤ）と時分割複信（ＴＤＤ）の両方をサポートする。たとえば、ワイヤレスシステム１２０はＧＳＭシステムであり得、ワイヤレスシステム１２２はＷＣＤＭＡシステムであり得る。別の例として、ワイヤレスシステム１２０はＬＴＥシステムであり得、ワイヤレスシステム１２２はＣＤＭＡシステムであり得る。
【００１５】
[0021]簡単のために、図１００は、１つの基地局１３０と１つのシステムコントローラ１４０とを含むワイヤレスシステム１２０と、１つの基地局１３２と１つのシステムコントローラ１４２とを含むワイヤレスシステム１２２とを示す。概して、各ワイヤレスシステムは、任意の数の基地局と、ネットワークエンティティの任意のセットとを含み得る。各基地局は、基地局のカバレージ内のワイヤレスデバイスのための通信をサポートし得る。基地局は、ノードＢ、発展型ノードＢ（ｅＮＢ）、アクセスポイント、基地トランシーバ局、無線基地局、無線トランシーバ、トランシーバ機能、基本サービスセット（ＢＳＳ：basic service set）、拡張サービスセット（ＥＳＳ：extended service set）、または何らかの他の好適な用語で呼ばれることもある。ワイヤレスデバイス１１０は、ユーザ機器（ＵＥ）、モバイルデバイス、リモートデバイス、ワイヤレスデバイス、ワイヤレス通信デバイス、局、移動局、加入者局、モバイル加入者局、端末、モバイル端末、リモート端末、ワイヤレス端末、アクセス端末、クライアント、モバイルクライアント、モバイルユニット、加入者ユニット、ワイヤレスユニット、リモートユニット、ハンドセット、ユーザエージェント、または何らかの他の好適な用語で呼ばれることもある。ワイヤレスデバイス１１０は、セルラーフォン、スマートフォン、タブレット、ワイヤレスモデム、携帯情報端末（ＰＤＡ）、ハンドヘルドデバイス、ラップトップコンピュータ、スマートブック、ネットブック、コードレスフォン、ワイヤレスローカルループ（ＷＬＬ）局、または何らかの他の同様の機能デバイスであり得る。
【００１６】
[0022]ワイヤレスデバイス１１０は、ワイヤレスシステム１２０および／または１２２と通信することが可能であり得る。ワイヤレスデバイス１１０は、放送局１３４などの放送局から信号を受信することも可能であり得る。ワイヤレスデバイス１１０は、１つまたは複数のグローバルナビゲーション衛星システム（ＧＮＳＳ：global navigation satellite system）中の衛星１５０などの衛星から信号を受信することも可能であり得る。ワイヤレスデバイス１１０は、ＧＳＭ、ＷＣＤＭＡ、ｃｄｍａ２０００、ＬＴＥ、８０２．１１など、ワイヤレス通信のための１つまたは複数の無線技術をサポートし得る。「無線技術」、「無線アクセス技術」、「エアインターフェース」、および「規格」という用語は、互換的に使用され得る。
【００１７】
[0023]ワイヤレスデバイス１１０は、ダウンリンクおよびアップリンクを介してワイヤレスシステム中の基地局と通信し得る。ダウンリンク（または順方向リンク）は、基地局からワイヤレスデバイスへの通信リンクを指し、アップリンク（または逆方向リンク）は、ワイヤレスデバイスから基地局への通信リンクを指す。ワイヤレスシステムはＴＤＤおよび／またはＦＤＤを利用し得る。ＴＤＤでは、ダウンリンクとアップリンクとは同じ周波数を共有し、ダウンリンク送信とアップリンク送信とは、異なる時間期間において同じ周波数上で送られ得る。
【００１８】
[0024]ＦＤＤでは、ダウンリンクとアップリンクとは別々の周波数を割り振られる。ダウンリンク送信がある周波数上で送られ得、アップリンク送信が別の周波数上で送られ得る。ＴＤＤをサポートするいくつかの例示的な無線技術は、ＧＳＭ、ＬＴＥ、およびＴＤ−ＳＣＤＭＡを含む。ＦＤＤをサポートするいくつかの例示的な無線技術は、ＷＣＤＭＡ、ｃｄｍａ２０００、およびＬＴＥを含む。ワイヤレスデバイス１１０および／または基地局１３０、１３２は、本明細書で説明されるようにベースバンドフィルタ１６０を線形化するための装置を含み得る例示的なベースバンドフィルタ１６０を含み得る。ベースバンドフィルタ１６０を線形化するための装置は、第１の電流信号を受信するように構成された第１の導電モジュールを含み得る。ベースバンドフィルタ１６０を線形化するための装置は、第２の電流信号を受信し、第２の電流信号に基づいて電圧信号を生成し、第１の導電モジュールに電圧信号を印加するように構成された変換モジュールをも含み得、ここにおいて、変換モジュールによって受信される第２の電流信号の量が、第１の導電モジュールを通って流れる第１の電流信号の量に基づく。さらに、ベースバンドフィルタ１６０を線形化するための装置は、電圧信号に基づいて出力電流信号を制御するように構成された第２の導電モジュールを含み得、ここにおいて、出力電流信号は、帯域内周波数について第１の電流信号の線形複製になるように制御される。帯域内周波数は、定義された電気通信周波数帯域またはチャネル内の周波数の任意のセットを含み得る。いくつかの例では、帯域内周波数は、ボイス、データ、またはその両方のために使用される周波数を含み得る。制御シグナリングは、いくつかの例では、異なる周波数帯域を使用して送られ得る。ボイス、データ、またはその両方のために、ある電気通信周波数帯域を使用し、制御シグナリングのために別の電気通信周波数帯域を使用することは、帯域外シグナリング（out-of-band signaling）と呼ばれることがある。いくつかの例では、帯域内周波数は、ボイス、データ、および／または制御シグナリングのために使用される周波数を含み得る。同じ電気通信周波数帯域内でボイスおよび／またはデータならびに制御信号を送ることは、帯域内シグナリング（in-band signaling）と呼ばれることがある。さらに、例示的なベースバンドフィルタ１６０の詳細が以下で与えられる。
【００１９】
[0025]図２は、本開示のいくつかの態様による、ワイヤレスデバイス１１０など、例示的なワイヤレスデバイスのブロック図２００である。ワイヤレスデバイスは、データプロセッサ／コントローラ２１０と、トランシーバ２１８と、アンテナ２９０とを含む。データプロセッサ／コントローラ２１０は処理システムと呼ばれることがある。処理システムは、データプロセッサ／コントローラ２１０、または、データプロセッサ／コントローラ２１０とメモリ２１６の両方を含み得る。トランシーバ２１８は、双方向通信をサポートする送信機２２０と受信機２５０とを含む。送信機２２０および／または受信機２５０は、スーパーヘテロダインアーキテクチャまたは直接変換アーキテクチャを用いて実装され得る。スーパーヘテロダインアーキテクチャでは、信号が、受信機のために、複数の段においてＲＦとベースバンドとの間で、たとえば、１つの段においてＲＦから中間周波数（ＩＦ：intermediate frequency）に、次いで別の段においてＩＦからベースバンドに、周波数変換される。ゼロＩＦアーキテクチャとも呼ばれる直接変換アーキテクチャでは、信号が、１つの段においてＲＦとベースバンドとの間で周波数変換される。スーパーヘテロダインアーキテクチャおよび直接変換アーキテクチャは、異なる回路ブロックを使用し、および／または異なる要件を有し得る。図２に示されている例示的な設計では、送信機２２０および受信機２５０は、直接変換アーキテクチャを用いて実装される。
【００２０】
[0026]送信経路では、データプロセッサ／コントローラ２１０は、送信されるべきデータを処理（たとえば、符号化および変調）し、そのデータをデジタルアナログ変換器（ＤＡＣ）２３０に与え得る。ＤＡＣ２３０はデジタル入力信号をアナログ出力信号に変換する。アナログ出力信号は、送信（ＴＸ）ベースバンド（低域）フィルタ２３２に与えられ、送信（ＴＸ）ベースバンド（低域）フィルタ２３２は、ＤＡＣ２３０による前のデジタルアナログ変換によって生じたイメージを除去するために、アナログ出力信号をフィルタ処理し得る。ベースバンドフィルタ２３２は、本明細書で説明されるようにベースバンドフィルタを線形化するための装置を含み得る。増幅器（ａｍｐ）２３４が、ＴＸベースバンドフィルタ２３２からの信号を増幅し、増幅されたベースバンド信号を与え得る。一態様では、例示的なベースバンドフィルタ１６０は、ＴＸベースバンドフィルタ２３２および増幅器２３４のうちの１つまたは複数によって実装され得る。アップコンバータ（ミキサ）２３６が、増幅されたベースバンド信号と、ＴＸ  ＬＯ信号生成器２７６からのＴＸ  ＬＯ信号とを受信し得る。アップコンバータ２３６は、ＴＸ  ＬＯ信号で、増幅されたベースバンド信号をアップコンバートし、アップコンバートされた信号を与え得る。フィルタ２３８が、周波数アップコンバージョンによって生じたイメージを除去するために、アップコンバートされた信号をフィルタ処理し得る。電力増幅器（ＰＡ）２４０が、所望の出力電力レベルを取得するためにフィルタ２３８からのフィルタ処理されたＲＦ信号を増幅し、出力ＲＦ信号を与え得る。出力ＲＦ信号は、デュプレクサ／スイッチプレクサ（duplexer/switchplexer）２６４を通してルーティングされ得る。
【００２１】
[0027]ＦＤＤでは、送信機２２０および受信機２５０は、送信機２２０のためのＴＸフィルタと受信機２５０のための受信（ＲＸ）フィルタとを含み得る、デュプレクサ２６４に結合され得る。ＴＸフィルタは、送信帯域中の信号成分をパスし（pass）、受信帯域中の信号成分を減衰させるために、出力ＲＦ信号をフィルタ処理し得る。ＴＤＤでは、送信機２２０および受信機２５０はスイッチプレクサ２６４に結合され得る。スイッチプレクサ２６４は、アップリンク時間間隔中に送信機２２０からアンテナ２９０に出力ＲＦ信号をパスし得る。ＦＤＤとＴＤＤの両方では、デュプレクサ／スイッチプレクサ２６４は、ワイヤレスチャネルを介した送信のために、アンテナ２９０に出力ＲＦ信号を与え得る。
【００２２】
[0028]受信経路では、アンテナ２９０は、基地局および／または他の送信機局によって送信された信号を受信し得、受信ＲＦ信号を与え得る。受信ＲＦ信号は、デュプレクサ／スイッチプレクサ２６４を通してルーティングされ得る。ＦＤＤでは、デュプレクサ２６４内のＲＸフィルタは、受信帯域中の信号成分をパスし、送信帯域中の信号成分を減衰させるために、受信ＲＦ信号をフィルタ処理し得る。ＴＤＤでは、スイッチプレクサ２６４は、ダウンリンク時間間隔中にアンテナ２９０から受信機２５０に受信ＲＦ信号をパスし得る。ＦＤＤとＴＤＤの両方では、デュプレクサ／スイッチプレクサ２６４は受信機２５０に受信ＲＦ信号を与え得る。
【００２３】
[0029]受信機２５０内で、受信ＲＦ信号は、入力ＲＦ信号を取得するために、低雑音増幅器（ＬＮＡ）２５２によって増幅され、フィルタ２５４によってフィルタ処理され得る。ダウンコンバータ（ミキサ）２５６が、入力ＲＦ信号と、ＲＸ  ＬＯ信号生成器２８６からのＲＸ  ＬＯ信号とを受信し得る。ダウンコンバータ２５６は、ＲＸ  ＬＯ信号で入力ＲＦ信号をダウンコンバートし、ダウンコンバートされた信号を与え得る。ダウンコンバートされた信号は、アナログ入力信号を取得するために、増幅器２５８によって増幅され、ＲＸベースバンド（低域）フィルタ２６０によってさらにフィルタ処理され得る。ベースバンドフィルタ２６０は、本明細書で説明されるようにベースバンドフィルタを線形化するための装置を含み得る。一態様では、例示的なベースバンドフィルタ１６０は、増幅器２５８およびＲＸベースバンドフィルタ２６０のうちの１つまたは複数によって実装され得る。アナログ入力信号はアナログデジタル変換器（ＡＤＣ）２６２に与えられる。ＡＤＣ２６２はアナログ入力信号をデジタル出力信号に変換する。デジタル出力信号はデータプロセッサ／コントローラ２１０に与えられる。
【００２４】
[0030]ＴＸ周波数シンセサイザ２７０がＴＸ位相ロックループ（ＰＬＬ）２７２とＶＣＯ２７４とを含み得る。ＶＣＯ２７４は所望の周波数におけるＴＸ  ＶＣＯ信号を生成し得る。ＴＸ  ＰＬＬ２７２は、データプロセッサ／コントローラ２１０からタイミング情報を受信し、ＶＣＯ２７４のための制御信号を生成し得る。制御信号は、ＴＸ  ＶＣＯ信号のための所望の周波数を取得するようにＶＣＯ２７４の周波数および／または位相を調整し得る。ＴＸ周波数シンセサイザ２７０はＴＸ  ＬＯ信号生成器２７６にＴＸ  ＶＣＯ信号を与える。ＴＸ  ＬＯ信号生成器２７６は、ＴＸ周波数シンセサイザ２７０から受信されたＴＸ  ＶＣＯ信号に基づいて、ＴＸ  ＬＯ信号を生成し得る。
【００２５】
[0031]ＲＸ周波数シンセサイザ２８０がＲＸ  ＰＬＬ２８２とＶＣＯ２８４とを含み得る。ＶＣＯ２８４は所望の周波数におけるＲＸ  ＶＣＯ信号を生成し得る。ＲＸ  ＰＬＬ２８２は、データプロセッサ／コントローラ２１０からタイミング情報を受信し、ＶＣＯ２８４のための制御信号を生成し得る。制御信号は、ＲＸ  ＶＣＯ信号のための所望の周波数を取得するようにＶＣＯ２８４の周波数および／または位相を調整し得る。ＲＸ周波数シンセサイザ２８０はＲＸ  ＬＯ信号生成器２８６にＲＸ  ＶＣＯ信号を与える。ＲＸ  ＬＯ信号生成器は、ＲＸ周波数シンセサイザ２８０から受信されたＲＸ  ＶＣＯ信号に基づいて、ＲＸ  ＬＯ信号を生成し得る。
【００２６】
[0032]ＬＯ信号生成器２７６、２８６はそれぞれ、周波数分割器、バッファなどを含み得る。ＬＯ信号生成器２７６、２８６は、それらが、それぞれＴＸ周波数シンセサイザ２７０およびＲＸ周波数シンセサイザ２８０によって与えられた周波数を分割する場合、周波数分割器と呼ばれることがある。ＰＬＬ２７２、２８２はそれぞれ、位相／周波数検出器、ループフィルタ、チャージポンプ、周波数分割器などを含み得る。各ＶＣＯ信号および各ＬＯ信号は、特定の基本周波数をもつ周期信号であり得る。ＬＯ生成器２７６、２８６からのＴＸ  ＬＯ信号およびＲＸ  ＬＯ信号は、ＴＤＤでは同じ周波数、またはＦＤＤでは異なる周波数を有し得る。ＶＣＯ２７４、２８４からのＴＸ  ＶＣＯ信号およびＲＸ  ＶＣＯ信号は、（たとえば、ＴＤＤでは）同じ周波数、または（たとえば、ＦＤＤまたはＴＤＤでは）異なる周波数を有し得る。
【００２７】
[0033]送信機２２０および受信機２５０における信号のコンディショニング（conditioning）は、増幅器、フィルタ、アップコンバータ、ダウンコンバータなどの１つまたは複数の段によって実行され得る。これらの回路は、図２に示されている構成とは異なって配置され得る。さらに、図２に示されていない他の回路も送信機２２０および受信機２５０において信号をコンディショニングするために使用され得る。たとえば、インピーダンス整合回路が、ＰＡ２４０の出力において、ＬＮＡ２５２の入力において、アンテナ２９０とデュプレクサ／スイッチプレクサ２６４との間などに設置され得る。また、図２中のいくつかの回路が省略され得る。たとえば、フィルタ２３８および／またはフィルタ２５４が省略され得る。トランシーバ２１８の全部または一部分が、１つまたは複数のアナログ集積回路（ＩＣ）、ＲＦ  ＩＣ（ＲＦＩＣ）、混合信号ＩＣなどの上に実装され得る。たとえば、送信機２２０中のＴＸベースバンドフィルタ２３２からＰＡ２４０まで、受信機２５０中のＬＮＡ２５２からＲＸベースバンドフィルタ２６０まで、ＰＬＬ２７２、２８２、ＶＣＯ２７４、２８４、およびＬＯ信号生成器２７６、２８６は、ＲＦＩＣ上に実装され得る。ＰＡ２４０および場合によっては他の回路は、別個のＩＣまたは回路モジュール上にも実装され得る。
【００２８】
[0034]データプロセッサ／コントローラ２１０は、ワイヤレスデバイスのための様々な機能を実行し得る。たとえば、データプロセッサ／コントローラ２１０は、送信機２２０を介して送信されている、および受信機２５０を介して受信されている、データのための処理を実行し得る。データプロセッサ／コントローラ２１０は、送信機２２０および受信機２５０内の様々な回路の動作を制御し得る。メモリ２１２および／またはメモリ２１６は、データプロセッサ／コントローラ２１０のためのプログラムコードとデータとを記憶し得る。メモリは、データプロセッサ／コントローラ２１０の内部にあり得（たとえば、メモリ２１２）、またはデータプロセッサ／コントローラ２１０の外部にあり得る（たとえば、メモリ２１６）。メモリはコンピュータ可読媒体と呼ばれることがある。発振器２１４が特定の周波数におけるＶＣＯ信号を生成し得る。クロック生成器２１５が、発振器２１４から（１つまたは複数の）ＶＣＯ信号を受信し得、データプロセッサ／コントローラ２１０および／またはトランシーバ２１８内の様々なモジュールのためのクロック信号を生成し得る。データプロセッサ／コントローラ２１０は、１つまたは複数の特定用途向け集積回路（ＡＳＩＣ）および／または他のＩＣ上に実装され得る。
【００２９】
[0035]本開示は、ベースバンドフィルタを線形化するための装置および方法を提供する。
【００３０】
[0036]図３は、ベースバンドフィルタアーキテクチャの一例の図３００である。図３のベースバンドフィルタは、電流信号を電圧信号に変換するように構成された電流ツー電圧（ＩｔｏＶ：current to voltage）双二次（biquadratic）（バイカッド（biquad））増幅器３０４および演算増幅器（オペアンプ）３０６と、トランジスタ３０８（たとえばＮＭＯＳ）と、抵抗器Ｒ３１０とを含み得る。ＩｔｏＶバイカッド増幅器３０４の反転入力が接地ノードに結合される。ＩｔｏＶバイカッド増幅器３０４の非反転入力が、デジタルアナログ変換器（ＤＡＣ）などの、デバイスモジュールから信号を受信し得る。信号は電流信号または電圧信号であり得る。
【００３１】
[0037]たとえば、信号は、図３中で電圧源Ｖｄｄおよび電流源３０２として表されるＤＡＣ電流信号Ｉ0であり得る。ＩｔｏＶバイカッド増幅器３０４はＩ0を電圧信号に変換し得、電圧信号は、次いで、オペアンプ３０６の非反転入力に印加され得る。オペアンプ３０６は、電圧信号を増幅し、増幅された電圧信号Ｖ１をトランジスタ３０８のゲートに印加する。
【００３２】
[0038]トランジスタ３０８は、増幅された電圧信号Ｖ１に基づいて動作するように構成される。したがって、トランジスタ３０８が動作しているとき、出力電流信号Ｉｏｕｔがトランジスタ３０８のドレインとソースとの間を流れる。トランジスタ３０８を通って流れる出力電流信号Ｉｏｕｔの量が、トランジスタ３０８のソースに結合された抵抗器Ｒ３１０によって散逸される（is dissipated）Ｉｏｕｔに関連するエネルギーの量に基づく。オペアンプ３０６の反転入力もトランジスタ３０８のソースに結合される。トランジスタ３０８のドレインは、ミキサなどの、デバイスモジュールに結合される。したがって、Ｉｏｕｔはそのようなデバイスモジュールに印加され得る。
【００３３】
[0039]オペアンプ３０６の出力電流はＶ１／Ｒであるので、Ｉｏｕｔ＝Ｇ（ｓ）＊Ｉ0／Ｒである。図３の例示的なベースバンドフィルタアーキテクチャは、比較的大きいデバイスエリアを利用し、比較的大量の電力を消費するオペアンプ３０６の存在により、エリアおよび電力が非効率的であり得る。さらに、図３のベースバンドフィルタアーキテクチャは、オペアンプ３０６の線形化により、限られた雑音性能を有し得る。
【００３４】
[0040]図４は、ベースバンドフィルタアーキテクチャの別の例の図４００である。図４のベースバンドフィルタは、電流信号を電圧信号に変換するように構成されたＩｔｏＶバイカッド増幅器４０４と、第１のトランジスタ４０６（たとえばＮＭＯＳ）と、第１の抵抗器４１０と、第２の抵抗器４１２と、キャパシタ４１４と、第３の抵抗器４１６と、第２のトランジスタ４０８とを含み得る。
【００３５】
[0041]デジタルアナログ変換器（ＤＡＣ）などの、デバイスモジュールからの入力信号が、ベースバンドフィルタに印加され得る。その信号は電流信号または電圧信号であり得る。たとえば、その信号は、図４中で電圧源Ｖｄｄおよび電流源４０２として表されるＤＡＣ電流信号Ｉ0であり得る。第１のトランジスタ４０６のドレインが、Ｉ0に基づく電流信号Ｉ1を受信し得る。ＩｔｏＶバイカッド増幅器４０４の非反転入力が、Ｉ0に基づく電流信号Ｉ2を受信し得る。ＩｔｏＶバイカッド増幅器４０４の反転入力が接地ノードに結合される。
【００３６】
[0042]ＩｔｏＶバイカッド増幅器４０４はＩ2を電圧信号に変換し得、電圧信号は、次いで、第１のトランジスタ４０６のゲートに印加され得る。第１のトランジスタ４０６は、ＩｔｏＶバイカッド増幅器４０４からの電圧信号に基づいて動作するように構成される。したがって、第１のトランジスタ４０６が動作しているとき、第１のトランジスタ４０６は、第１の抵抗器４１０に向かって第１のトランジスタ４０６のドレインからソースへ電流信号Ｉ1を流す。トランジスタ４０６を通って流れる電流信号Ｉ1の量が、第１のトランジスタ４０６のソースに結合された第１の抵抗器４１０によって散逸されるＩ1に関連するエネルギーの量に基づく。一態様では、第１のトランジスタ４０６を通って流れる電流信号Ｉ1の量は、ＩｔｏＶバイカッド増幅器４０４によって受信される電流信号Ｉ2の量を低減または増加させ得る。
【００３７】
[0043]ＩｔｏＶバイカッド増幅器４０４からの電圧信号は、さらに、第２のトランジスタ４０８のゲートに印加されるように第２の抵抗器４１２を通って流れ得る。第２のトランジスタ４０８のゲートにおける電圧信号の量は、第２の抵抗器４１２によって散逸される電圧信号に関連するエネルギーの量と、散逸の後にキャパシタ４１４によって蓄積される電圧信号に関連するエネルギーの量とに基づく。
【００３８】
[0044]第２のトランジスタ４０８は、ゲートに印加された電圧信号に基づいて動作するように構成される。したがって、第２のトランジスタ４０８が動作しているとき、第２のトランジスタ４０８は、第２のトランジスタ４０８のドレインとソースとの間に出力電流信号Ｉｏｕｔを流す。第２のトランジスタ４０８を通って流れる出力電流信号Ｉｏｕｔの量が、第２のトランジスタ４０８のソースに結合された第３の抵抗器４１６によって散逸されるＩｏｕｔに関連するエネルギーの量に基づく。第２のトランジスタ４０８のドレインは、ミキサなどの、デバイスモジュールに結合される。したがって、Ｉｏｕｔはそのようなデバイスモジュールに印加され得る。
【００３９】
[0045]一態様では、第２のトランジスタ４０８のサイズが第１のトランジスタ４０６の倍数である。たとえば、第１のトランジスタ４０６はサイズＸを有し得、ここにおいて、Ｘは１０、２０、または他の値である。したがって、第２のトランジスタ４０８はサイズｎ＊Ｘを有し得、ここにおいて、ｎは実数である。
【００４０】
[0046]別の態様では、第１の抵抗器４１０の値が第３の抵抗器４１６の倍数である。たとえば、第３の抵抗器４１６はＲの値を有し得る。したがって、第１の抵抗器４１０はｎ＊Ｒの値を有し得、ここにおいて、ｎは実数である。
【００４１】
[0047]図４のベースバンドフィルタアーキテクチャでは、ＤＡＣ電流信号Ｉ0はミキサ入力に複製される。第１のトランジスタ４０６の周りのフィードバック増幅器により、Ｉｏｕｔは帯域内周波数についてＩ1の線形複製になり、ここにおいて、Ｉｏｕｔ＝ｎ＊Ｉ1＊（１／（Ｒ１Ｃ１＊ｓ＋１））である。雑音性能は、より少ない段とＲ１Ｃ１受動極（R1C1 passive pole）との使用により改善される。図３のベースバンドフィルタアーキテクチャと比較して、エリアおよび電力の消費も、低減される。しかしながら、図４のベースバンドフィルタアーキテクチャは、そのアーキテクチャが、ＤＡＣ電流信号Ｉ0を複製することによってＩｏｕｔを線形化するので、帯域外リジェクション（out-of-band rejection）と達成可能なひずみレベルとの間のトレードオフを経験し得る。また、フィルタ帯域幅およびＲ１Ｃ１は、達成されるひずみレベルを制限し得る。
【００４２】
[0048]図５は、本開示のいくつかの態様による、アクティブフィードバックを使用してベースバンドフィルタを線形化するための装置のブロック図５００である。装置（たとえば、ベースバンドフィルタ）は、変換モジュール５０４と、第１の導電モジュール５０６と、第２の導電モジュール５０８とを含み得る。デジタルアナログ変換器（ＤＡＣ）などの、デバイスモジュールからの入力信号が、装置に印加され得る。その信号は電流信号または電圧信号であり得る。たとえば、その信号は、図５中で電圧源Ｖｄｄおよび電流源５０２として表されるＤＡＣ電流信号Ｉ0であり得る。
【００４３】
[0049]第１の導電モジュールは、Ｉ0に基づく第１の電流信号Ｉ1を受信するように構成される。変換モジュール５０４は、Ｉ0に基づく第２の電流信号Ｉ2を受信するように構成される。変換モジュール５０４は、第２の電流信号Ｉ2に基づいて電圧信号を生成し、電圧信号を第１の導電モジュール５０６に印加するようにさらに構成される。変換モジュール５０４によって受信される第２の電流信号Ｉ2の量が、第１の導電モジュール５０６を通って流れる第１の電流信号Ｉ1の量に基づく。第２の導電モジュール５０８は、電圧信号に基づいて出力電流信号Ｉｏｕｔを制御するように構成される。出力電流信号Ｉｏｕｔは、帯域内周波数について第１の電流信号Ｉ1の線形複製になるように制御される。
【００４４】
[0050]図６は、本開示のいくつかの態様による、アクティブフィードバックを使用してベースバンドフィルタを線形化するための図５の装置の回路図６００である。図５および図６を参照すると、変換モジュール５０４はバイカッド増幅器６０４を含み、第１の導電モジュール５０６は、第１のキャパシタ６１８と、第１の抵抗器６１０と、バイカッド増幅器６０４からの電圧信号に基づいて動作するように構成された第１のトランジスタ（たとえば、ＮＭＯＳ）６０６とを含む。
【００４５】
[0051]バイカッド増幅器６０４の非反転入力が電流源５０２に結合される。第１のトランジスタ６０６のドレインが電流源５０２に結合される。第１のトランジスタ６０６のゲートがバイカッド増幅器６０４の出力に結合される。第１のトランジスタ６０６のソースが、第１のキャパシタ６１８の第１のノードと第１の抵抗器６１０の第１のノードとに結合される。第１のキャパシタ６１８の第２のノードおよび第１の抵抗器６１０の第２のノードが接地ノードに結合される。
【００４６】
[0052]第１のトランジスタ６０６は、バイカッド増幅器６０４からの電圧信号に基づいて動作するように構成される。したがって、第１のトランジスタ６０６が動作するとき、第１のトランジスタ６０６は、第１のキャパシタ６１８および第１の抵抗器６１０に向かって第１のトランジスタ６０６のドレインからソースへ第１の電流信号Ｉ1を流すように構成される。第１のトランジスタ６０６を通って流れる第１の電流信号Ｉ1の量は、第１のキャパシタ６１８によって蓄積される第１の電流信号Ｉ1に関連するエネルギーの量と、第１の抵抗器６１０によって散逸される第１の電流信号Ｉ1に関連するエネルギーの量とに基づく。高い周波数において、第１のトランジスタ６０６を通って流れる第１の電流信号Ｉ1の量は、バイカッド増幅器６０４によって受信される第２の電流信号Ｉ2の量を低減する。高い周波数は、使用される特定の通信周波数帯域に対するものであり、たとえば、帯域内周波数に対するものであり得る。上記で説明されたように、帯域内周波数は、定義された電気通信周波数帯域またはチャネル内の周波数の任意のセットを含み得る。いくつかの例では、帯域内周波数は、ボイス、データ、またはその両方のために使用される周波数を含み得る。他の例では、帯域内周波数は、ボイスおよび／またはデータおよび制御シグナリングのために使用される周波数を含み得る。高い周波数は、たとえば、定義された電気通信周波数帯域またはチャネル内の周波数の特定のセットの最高周波数よりも高い任意の周波数であり得る。
【００４７】
[0053]まだ図５および図６を参照すると、第２の導電モジュール５０８は、第２の抵抗器６１２と、第２のキャパシタ６１４と、第３の抵抗器６１６と、第２のトランジスタ６０８とを備える。第２の抵抗器６１２の第１のノードが、バイカッド増幅器６０４の出力と第１のトランジスタ６０６のゲートとに結合される。第２の抵抗器６１２の第２のノードが、第２のキャパシタ６１４の第１のノードと第２のトランジスタ６０８のゲートとに結合される。
【００４８】
[0054]第２のキャパシタ６１４の第１のノードは、第２の抵抗器６１２の第２のノードと第２のトランジスタ６０８のゲートとに結合される。第２のキャパシタ６１４の第２のノードが接地ノードに結合される。
【００４９】
[0055]第３の抵抗器６１６の第１のノードが第２のトランジスタ６０８のソースに結合される。第３の抵抗器６１６の第２のノードが接地ノードに結合される。
【００５０】
[0056]第２のトランジスタ６０８のソースは、第３の抵抗器６１６の第１のノードに結合され、出力電流信号Ｉｏｕｔは、第２のトランジスタ６０８のドレインを通って流れる。第２のトランジスタ６０８のドレインは、ミキサなどの、デバイスモジュールに結合される。したがって、Ｉｏｕｔはそのようなデバイスモジュールに印加され得る。
【００５１】
[0057]一態様では、出力電流信号Ｉｏｕｔは、バイカッド増幅器６０４が、第２のトランジスタ６０８のゲートに印加されるように第２の抵抗器６１２にわたって電圧信号を流すことに基づいて、第１の電流信号Ｉ1の線形複製になるように制御される。第２のトランジスタ６０８は、ゲートに印加された電圧信号に基づいて動作するように構成される。したがって、第２のトランジスタ６０８が動作するとき、第２のトランジスタ６０８は、第２のトランジスタ６０８のドレインとソースとの間に出力電流信号Ｉｏｕｔを流す。
【００５２】
[0058]第２のトランジスタ６０８のゲートにおける電圧信号の量が、第２の抵抗器６１２によって散逸される電圧信号に関連するエネルギーの量と、散逸の後に第２のキャパシタ６１４によって蓄積される電圧信号に関連するエネルギーの量とに基づく。第２のトランジスタ６０８を通って流れる出力電流信号Ｉｏｕｔの量は、第３の抵抗器６１６によって散逸される出力電流信号Ｉｏｕｔに関連するエネルギーの量に基づく。
【００５３】
[0059]一態様では、第２のトランジスタ６０８のサイズが第１のトランジスタ６０６の倍数である。たとえば、第１のトランジスタ６０６はサイズＸを有し得、ここにおいて、Ｘは１０、２０、または他の値である。したがって、第２のトランジスタ６０８はサイズｎ＊Ｘを有し得、ここにおいて、ｎは実数である。
【００５４】
[0060]別の態様では、第１の抵抗器６１０の値が第３の抵抗器６１６の倍数である。たとえば、第３の抵抗器６１６はＲの値を有し得る。したがって、第１の抵抗器６１０はｎ＊Ｒの値を有し得、ここにおいて、ｎは実数である。
【００５５】
[0061]図５および図６のベースバンドフィルタアーキテクチャでは、ＤＡＣ電流信号Ｉ0はミキサ入力に複製される。Ｉｏｕｔは帯域内周波数についてＩ1の線形複製になり、ここにおいて、Ｉｏｕｔ＝ｎ＊Ｉ1＊（１／（Ｒ１Ｃ１＊ｓ＋１））である。このアーキテクチャにおける第１のキャパシタＣ０  ６１８の使用によって、バイカッド増幅器６０４によって搬送される電流が高い周波数において低減される。したがって、ＧＭ段におけるひずみ電流が周波数とともにドロップせず、したがって、４ＦＭＯＤ電力が低下されない。図４のベースバンドフィルタアーキテクチャと比較して、図５および図６のベースバンドフィルタアーキテクチャは、改善された帯域外リジェクションおよび４ＦＭＯＤ電力を与える。
【００５６】
[0062]図７は、本開示のいくつかの態様による、ベースバンドフィルタを線形化するための方法のフローチャートである。方法は装置（たとえば、ベースバンドフィルタ１６０または図５および図６のベースバンドフィルタ）によって実行され得る。
【００５７】
[0063]ブロック７０２において、装置は、第１の導電モジュール（たとえば、第１の導電モジュール５０６）を介して第１の電流信号を受信する。一例では、第１の導電モジュールは、第１のキャパシタ（たとえば、第１のキャパシタ６１８）と、第１の抵抗器（たとえば、第１の抵抗器６１０）と、バイカッド増幅器からの電圧信号に基づいて動作するように構成された第１のトランジスタ（たとえば、第１のトランジスタ６０６）とを含む。
【００５８】
[0064]ブロック７０４において、装置は、変換モジュール（たとえば変換モジュール５０４）を介して第２の電流信号を受信する。一例では、変換モジュールはバイカッド増幅器（たとえば、バイカッド増幅器６０４）を含む。バイカッド増幅器の非反転入力が電流源（たとえば、電流源５０２）に結合される。第１のトランジスタのドレインが電流源に結合され、第１のトランジスタのゲートがバイカッド増幅器の出力に結合され、第１のトランジスタのソースが、第１のキャパシタの第１のノードと第１の抵抗器の第１のノードとに結合される。第１のキャパシタの第２のノードおよび第１の抵抗器の第２のノードが接地ノードに結合される。
【００５９】
[0065]第１のトランジスタが、バイカッド増幅器からの電圧信号に基づいて動作するとき、第１のトランジスタは、第１のキャパシタおよび第１の抵抗器に向かって第１のトランジスタのドレインからソースへ第１の電流信号を流す。第１のトランジスタを通って流れる第１の電流信号の量は、第１のキャパシタによって蓄積される第１の電流信号に関連するエネルギーの量と、第１の抵抗器によって散逸される第１の電流信号に関連するエネルギーの量とに基づく。高い周波数において、第１のトランジスタを通って流れる第１の電流信号の量は、バイカッド増幅器によって受信される第２の電流信号の量を低減する。
【００６０】
[0066]ブロック７０６において、装置は、変換モジュール（たとえば、変換モジュール５０４）を介して、第２の電流信号に基づいて電圧信号を生成し、第１の導電モジュールに電圧信号を印加する。変換モジュールによって受信される第２の電流信号の量が、第１の導電モジュールを通って流れる第１の電流信号の量に基づく。図５および図６を参照すると、変換モジュール５０４はバイカッド増幅器６０４を含む。バイカッド増幅器６０４の非反転入力が電流源５０２に結合される。
【００６１】
[0067]ブロック７０８において、装置は、第２の導電モジュール（たとえば、第２の導電モジュール５０８）を介して、電圧信号に基づいて出力電流信号を制御し、ここにおいて、出力電流信号は、帯域内周波数について第１の電流信号の線形複製になるように制御される。一例では、第２の導電モジュールは、第２の抵抗器（たとえば、第２の抵抗器６１２）と、第２のキャパシタ（たとえば、第２のキャパシタ６１４）と、第３の抵抗器（たとえば、第３の抵抗器６１６）と、第２のトランジスタ（たとえば、第２のトランジスタ６０８）とを含む。第２の抵抗器の第１のノードが、バイカッド増幅器の出力と第１のトランジスタのゲートとに結合される。第２の抵抗器の第２のノードが、第２のキャパシタの第１のノードと第２のトランジスタのゲートとに結合される。第２のキャパシタの第１のノードは、第２の抵抗器の第２のノードと第２のトランジスタのゲートとに結合される。第２のキャパシタの第２のノードが接地ノードに結合される。第３の抵抗器の第１のノードが第２のトランジスタのソースに結合される。第３の抵抗器の第２のノードが接地ノードに結合される。第２のトランジスタのソースは第３の抵抗器の第１のノードに結合される。出力電流信号は第２のトランジスタのドレインを通って流れる。一態様では、出力電流信号は、第２のトランジスタのゲートに印加されるようにバイカッド増幅器から第２の抵抗器にわたって電圧信号を流すことと、第２のトランジスタのゲートに印加された電圧信号に基づいて第２のトランジスタを動作させ、第２のトランジスタのドレインとソースとの間に出力電流信号を流すことと、によって第１の電流信号の線形複製になるように制御される。第２のトランジスタのゲートにおける電圧信号の量が、第２の抵抗器によって散逸される電圧信号に関連するエネルギーの量と、散逸の後に第２のキャパシタによって蓄積される電圧信号に関連するエネルギーの量とに基づく。第２のトランジスタを通って流れる出力電流信号の量は、第３の抵抗器によって散逸される出力電流信号に関連するエネルギーの量に基づく。
【００６２】
[0068]さらなる態様では、第２のトランジスタのサイズが第１のトランジスタのサイズのｎ倍であり、ここで、ｎは実数である。その上、第１の抵抗器の値が第３の抵抗器の値のｎ倍であり、ここで、ｎは実数である。
【００６３】
[0069]再び図５および図６を参照すると、装置（たとえば、ベースバンドフィルタ１６０）は、変換モジュール５０４と、第１の導電モジュール５０６と、第２の導電モジュール５０８とのうちの１つまたは複数、ならびにそれぞれのモジュールに対応する上記で説明された回路要素を含み得る。装置は、第１の電流信号を受信するための第１の導電手段を含む。装置は、第２の電流信号を受信し、第２の電流信号に基づいて電圧信号を生成し、第１の導電手段に電圧信号を印加するための変換手段をさらに含む。変換手段によって受信される第２の電流信号の量が、第１の導電手段を通って流れる第１の電流信号の量に基づく。装置は、電圧信号に基づいて出力電流信号を制御するための第２の導電手段をも含む。出力電流信号は、帯域内周波数について第１の電流信号の線形複製になるように制御される。上述の手段は、上述の手段によって具陳された機能を実行するように構成された、変換モジュール５０４と、第１の導電モジュール５０６と、第２の導電モジュール５０８と、それぞれのモジュールに対応する回路要素と、データプロセッサ／コントローラ２１０と、コンピュータ可読媒体、すなわち、メモリ２１２と、および／またはコンピュータ可読媒体、すなわち、メモリ２１６と、のうちの１つまたは複数であり得る。
【００６４】
[0070]再び図５を参照すると、アクティブフィードバックを使用してベースバンドフィルタを線形化するための装置は、図７に示されている方法を実装し得る。図５はまた、例示的な装置中の異なるモジュール／手段／構成要素間のデータフローを示す概念データフロー図を与える。装置は、ベースバンドフィルタ、ベースバンドフィルタの一部、ベースバンドフィルタリニアライザ（baseband filter linearizer）、またはベースバンドフィルタに関係する制御回路の一部であり得る。いくつかの例では、装置を含むベースバンドフィルタは、図２のワイヤレスデバイス２００などのワイヤレスデバイス、ＵＥ、またはｅＮＢなどの基地局、のサブパートであり得る。上記で説明されたように、例示的な装置は、第１の電流信号を受信する（図７のブロック７０２）ように構成された変換モジュール５０４を含む。例示的な装置は、第２の電流信号を受信する（図７のブロック７０４）ように構成された第１の導電モジュール５０６をさらに含む。第１の導電モジュール５０６は、第２の電流信号に基づいて電圧信号を生成し、第１の導電モジュールに電圧信号を印加する（図７のブロック７０６）。変換モジュール５０４によって受信される第２の電流信号の量が、第１の導電モジュール５０６を通って流れる第１の電流信号の量に基づき得る。例示的な装置は、電圧信号に基づいて出力電流信号を制御する（図７のブロック７０８）ように構成された第２の導電モジュール５０８をも含む。いくつかの例では、出力電流信号は、帯域内周波数について第１の電流信号の線形複製になるように制御される。
【００６５】
[0071]装置は、図７の上述のフローチャート中のアルゴリズムのブロックの各々を実行する追加のモジュールを含み得る。したがって、図７の上述のフローチャート中の各ブロックは１つのモジュールによって実行され得、装置は、それらのモジュールのうちの１つまたは複数を含み得る。モジュールは、述べられたプロセス／アルゴリズムを行うように特に構成された１つまたは複数のハードウェア構成要素であるか、述べられたプロセス／アルゴリズムを実行するように構成されたプロセッサによって実装されるか、プロセッサによる実装のためにコンピュータ可読媒体内に記憶されるか、またはそれらの何らかの組合せであり得る。
【００６６】
[0072]開示されるプロセスにおけるステップの特定の順序または階層は、例示的な手法の一例であることを理解されたい。設計選好に基づいて、プロセスにおけるステップの特定の順序または階層は再構成され得ることを理解されたい。さらに、いくつかのステップは組み合わせられるかまたは省略され得る。添付の方法クレームは、様々なステップの要素を例示的な順序で提示したものであり、提示された特定の順序または階層に限定されるものではない。
【００６７】
[0073]いくつかの例では、第１の電流信号を受信するための第１の導電手段は、図５の第１の導電モジュール５０６を含み得る。他の例では、第１の導電手段は、図６の、第１のキャパシタ６１８と、第１の抵抗器６１０と、バイカッド増幅器からの電圧信号に基づいて動作するように構成された第１のトランジスタ６０６とを含み得る。
【００６８】
[0074]いくつかの例では、第２の電流信号を受信し、第２の電流信号に基づいて電圧信号を生成し、第１の導電手段に電圧信号を印加するための変換手段が、図５の変換モジュール５０４を含み得る。他の例では、変換手段は図６のバイカッド増幅器６０４を含み得る。バイカッド増幅器の非反転入力が電流源５０２に結合される。第１のトランジスタのドレインが電流源に結合され、第１のトランジスタのゲートがバイカッド増幅器の出力に結合され、第１のトランジスタのソースが、第１のキャパシタの第１のノードと第１の抵抗器の第１のノードとに結合される。第１のキャパシタの第２のノードおよび第１の抵抗器の第２のノードが接地ノードに結合される。
【００６９】
[0075]いくつかの例では、電圧信号に基づいて出力電流信号を制御するための第２の導電手段が、図５の第２の導電モジュール５０８を含み得る。他の例では、第２の導電モジュールは、第２の抵抗器（たとえば、第２の抵抗器６１２）と、第２のキャパシタ（たとえば、第２のキャパシタ６１４）と、第３の抵抗器（たとえば、第３の抵抗器６１６）と、第２のトランジスタ（たとえば、第２のトランジスタ６０８）とを含む。
【００７０】
[0076]以上の説明は、当業者が本明細書で説明された様々な態様を実施することができるようにするために提供されたものである。これらの態様への様々な変更は当業者には容易に明らかであり、本明細書で定義された一般原理は他の態様に適用され得る。したがって、特許請求の範囲は、本明細書で示された態様に限定されるものではなく、クレーム文言に矛盾しない全範囲を与えられるべきであり、ここにおいて、単数形の要素への言及は、そのように明記されていない限り、「唯一無二の」を意味するものではなく、「１つまたは複数の」を意味するものである。別段に明記されていない限り、「いくつか（some）」という用語は１つまたは複数を指す。当業者に知られている、または後に知られることになる、本開示全体にわたって説明された様々な態様の要素のすべての構造的および機能的均等物は、参照により本明細書に明確に組み込まれ、特許請求の範囲に包含されるものである。その上、本明細書で開示されるいかなることも、そのような開示が特許請求の範囲に明示的に具陳されているかどうかにかかわらず、公に供するものではない。いかなるクレーム要素も、その要素が「のための手段」という語句を使用して明確に具陳されていない限り、ミーンズプラスファンクションとして解釈されるべきではない。
以下に本願の出願当初の特許請求の範囲に記載された発明を付記する。
［Ｃ１］
第１の電流信号を受信するように構成された第１の導電モジュールと、
第２の電流信号を受信し、前記第２の電流信号に基づいて電圧信号を生成し、前記第１の導電モジュールに前記電圧信号を印加するように構成された変換モジュールと、ここにおいて、前記変換モジュールによって受信される前記第２の電流信号の量が、前記第１の導電モジュールを通って流れる前記第１の電流信号の量に基づく、
前記電圧信号に基づいて出力電流信号を制御するように構成された第２の導電モジュールと、ここにおいて、前記出力電流信号が、帯域内周波数について前記第１の電流信号の線形複製になるように制御される、を備える、ベースバンドフィルタを線形化するための装置。
［Ｃ２］
前記変換モジュールが双二次増幅器を備え、前記第１の導電モジュールが、第１のキャパシタと、第１の抵抗器と、前記双二次増幅器からの前記電圧信号に基づいて動作するように構成された第１のトランジスタとを備え、
ここにおいて、前記双二次増幅器の非反転入力が電流源に結合され、
ここにおいて、前記第１のトランジスタのドレインが前記電流源に結合され、前記第１のトランジスタのゲートが前記双二次増幅器の出力に結合され、前記第１のトランジスタのソースが、前記第１のキャパシタの第１のノードと前記第１の抵抗器の第１のノードとに結合され、
ここにおいて、前記第１のキャパシタの第２のノードおよび前記第１の抵抗器の第２のノードが接地ノードに結合された、Ｃ１に記載の装置。
［Ｃ３］
前記第１のトランジスタが、前記双二次増幅器からの前記電圧信号に基づいて動作するように構成されたとき、前記第１のトランジスタが、前記第１のキャパシタおよび前記第１の抵抗器に向かって前記第１のトランジスタの前記ドレインから前記ソースへ前記第１の電流信号を流すように構成され、
ここにおいて、前記第１のトランジスタを通って流れる前記第１の電流信号の前記量が、前記第１のキャパシタによって蓄積される前記第１の電流信号に関連するエネルギーの量と、前記第１の抵抗器によって散逸される前記第１の電流信号に関連するエネルギーの量とに基づく、Ｃ２に記載の装置。
［Ｃ４］
最高帯域内周波数よりも高い周波数において、前記第１のトランジスタを通って流れる前記第１の電流信号の前記量が、前記双二次増幅器によって受信される前記第２の電流信号の前記量を低減する、Ｃ３に記載の装置。
［Ｃ５］
前記第２の導電モジュールが、第２の抵抗器と、第２のキャパシタと、第３の抵抗器と、第２のトランジスタとを備え、
ここにおいて、前記第２の抵抗器の第１のノードが、前記双二次増幅器の前記出力と前記第１のトランジスタの前記ゲートとに結合され、前記第２の抵抗器の第２のノードが、前記第２のキャパシタの第１のノードと前記第２のトランジスタのゲートとに結合され、
ここにおいて、前記第２のキャパシタの前記第１のノードが、前記第２の抵抗器の前記第２のノードと前記第２のトランジスタの前記ゲートとに結合され、前記第２のキャパシタの第２のノードが前記接地ノードに結合され、
ここにおいて、前記第３の抵抗器の第１のノードが前記第２のトランジスタのソースに結合され、前記第３の抵抗器の第２のノードが前記接地ノードに結合され、
ここにおいて、前記第２のトランジスタの前記ソースが前記第３の抵抗器の前記第１のノードに結合され、
ここにおいて、前記出力電流信号が前記第２のトランジスタのドレインを通って流れる、Ｃ２に記載の装置。
［Ｃ６］
前記出力電流信号は、
前記双二次増幅器が、前記第２のトランジスタの前記ゲートに印加されるように前記第２の抵抗器にわたって前記電圧信号を流すことと、
前記第２のトランジスタが、前記第２のトランジスタの前記ゲートに印加された前記電圧信号に基づいて動作し、前記第２のトランジスタの前記ドレインと前記ソースとの間に前記出力電流信号を流すことと、によって前記第１の電流信号の前記線形複製になるように制御される、Ｃ５に記載の装置。
［Ｃ７］
前記第２のトランジスタの前記ゲートにおける前記電圧信号の量が、前記第２の抵抗器によって散逸される前記電圧信号に関連するエネルギーの量と、前記散逸の後に前記第２のキャパシタによって蓄積される前記電圧信号に関連するエネルギーの量とに基づく、Ｃ６に記載の装置。
［Ｃ８］
前記第２のトランジスタを通って流れる前記出力電流信号の前記量が、前記第３の抵抗器によって散逸される前記出力電流信号に関連するエネルギーの量に基づく、Ｃ６に記載の装置。
［Ｃ９］
前記第２のトランジスタのサイズが前記第１のトランジスタのサイズのｎ倍であり、ここで、ｎが実数である、Ｃ５に記載の装置。
［Ｃ１０］
前記第１の抵抗器の値が前記第３の抵抗器の値のｎ倍であり、ここにおいて、ｎが実数である、Ｃ５に記載の装置。
［Ｃ１１］
第１の導電モジュールを介して第１の電流信号を受信することと、
変換モジュールを介して第２の電流信号を受信することと、
前記変換モジュールを介して、前記第２の電流信号に基づいて電圧信号を生成し、前記第１の導電モジュールに前記電圧信号を印加することと、ここにおいて、前記変換モジュールによって受信される前記第２の電流信号の量が、前記第１の導電モジュールを通って流れる前記第１の電流信号の量に基づく、
第２の導電モジュールを介して、前記電圧信号に基づいて出力電流信号を制御することと、ここにおいて、前記出力電流信号が、帯域内周波数について前記第１の電流信号の線形複製になるように制御される、を備える、ベースバンドフィルタを線形化するための方法。
［Ｃ１２］
前記変換モジュールが双二次増幅器を備え、前記第１の導電モジュールが、第１のキャパシタと、第１の抵抗器と、前記双二次増幅器からの前記電圧信号に基づいて動作するように構成された第１のトランジスタとを備え、
ここにおいて、前記双二次増幅器の非反転入力が電流源に結合され、
ここにおいて、前記第１のトランジスタのドレインが前記電流源に結合され、前記第１のトランジスタのゲートが前記双二次増幅器の出力に結合され、前記第１のトランジスタのソースが、前記第１のキャパシタの第１のノードと前記第１の抵抗器の第１のノードとに結合され、
ここにおいて、前記第１のキャパシタの第２のノードおよび前記第１の抵抗器の第２のノードが接地ノードに結合された、Ｃ１１に記載の方法。
［Ｃ１３］
前記第１のトランジスタが、前記双二次増幅器からの前記電圧信号に基づいて動作するとき、前記第１のトランジスタが、前記第１のキャパシタおよび前記第１の抵抗器に向かって前記第１のトランジスタの前記ドレインから前記ソースへ前記第１の電流信号を、流し、
ここにおいて、前記第１のトランジスタを通って流れる前記第１の電流信号の前記量が、前記第１のキャパシタによって蓄積される前記第１の電流信号に関連するエネルギーの量と、前記第１の抵抗器によって散逸される前記第１の電流信号に関連するエネルギーの量とに基づく、Ｃ１２に記載の方法。
［Ｃ１４］
最高帯域内周波数よりも高い周波数において、前記第１のトランジスタを通って流れる前記第１の電流信号の前記量が、前記双二次増幅器によって受信される前記第２の電流信号の前記量を低減する、Ｃ１３に記載の方法。
［Ｃ１５］
前記第２の導電モジュールが、第２の抵抗器と、第２のキャパシタと、第３の抵抗器と、第２のトランジスタとを備え、
ここにおいて、前記第２の抵抗器の第１のノードが、前記双二次増幅器の前記出力と前記第１のトランジスタの前記ゲートとに結合され、前記第２の抵抗器の第２のノードが、前記第２のキャパシタの第１のノードと前記第２のトランジスタのゲートとに結合され、
ここにおいて、前記第２のキャパシタの前記第１のノードが、前記第２の抵抗器の前記第２のノードと前記第２のトランジスタの前記ゲートとに結合され、前記第２のキャパシタの第２のノードが前記接地ノードに結合され、
ここにおいて、前記第３の抵抗器の第１のノードが前記第２のトランジスタのソースに結合され、前記第３の抵抗器の第２のノードが前記接地ノードに結合され、
ここにおいて、前記第２のトランジスタの前記ソースが前記第３の抵抗器の前記第１のノードに結合され、
ここにおいて、前記出力電流信号が前記第２のトランジスタのドレインを通って流れる、Ｃ１２に記載の方法。
［Ｃ１６］
前記出力電流信号が、
前記第２のトランジスタの前記ゲートに印加されるように前記双二次増幅器から前記第２の抵抗器にわたって前記電圧信号を流すことと、
前記第２のトランジスタの前記ゲートに印加された前記電圧信号に基づいて前記第２のトランジスタを動作させ、前記第２のトランジスタの前記ドレインと前記ソースとの間に前記出力電流信号を流すことと、によって前記第１の電流信号の前記線形複製になるように制御される、Ｃ１５に記載の方法。
［Ｃ１７］
前記第２のトランジスタの前記ゲートにおける前記電圧信号の量が、前記第２の抵抗器によって散逸される前記電圧信号に関連するエネルギーの量と、前記散逸の後に前記第２のキャパシタによって蓄積される前記電圧信号に関連するエネルギーの量とに基づく、Ｃ１６に記載の方法。
［Ｃ１８］
前記第２のトランジスタを通って流れる前記出力電流信号の前記量が、前記第３の抵抗器によって散逸される前記出力電流信号に関連するエネルギーの量に基づく、Ｃ１６に記載の方法。
［Ｃ１９］
前記第２のトランジスタのサイズが前記第１のトランジスタのサイズのｎ倍であり、ここで、ｎが実数である、Ｃ１５に記載の方法。
［Ｃ２０］
前記第１の抵抗器の値が前記第３の抵抗器の値のｎ倍であり、ここで、ｎが実数である、Ｃ１５に記載の方法。
［Ｃ２１］
第１の電流信号を受信するための第１の導電手段と、
第２の電流信号を受信し、前記第２の電流信号に基づいて電圧信号を生成し、前記第１の導電手段に前記電圧信号を印加するための変換手段と、ここにおいて、前記変換手段によって受信される前記第２の電流信号の量が、前記第１の導電手段を通って流れる前記第１の電流信号の量に基づく、
前記電圧信号に基づいて出力電流信号を制御するための第２の導電手段と、ここにおいて、前記出力電流信号が、帯域内周波数について前記第１の電流信号の線形複製になるように制御される、を備える、ベースバンドフィルタを線形化するための装置。
［Ｃ２２］
前記変換手段が双二次増幅器を備え、前記第１の導電手段が、第１のキャパシタと、第１の抵抗器と、前記双二次増幅器からの前記電圧信号に基づいて動作するように構成された第１のトランジスタとを備え、
ここにおいて、前記双二次増幅器の非反転入力が電流源に結合され、
ここにおいて、前記第１のトランジスタのドレインが前記電流源に結合され、前記第１のトランジスタのゲートが前記双二次増幅器の出力に結合され、前記第１のトランジスタのソースが、前記第１のキャパシタの第１のノードと前記第１の抵抗器の第１のノードとに結合され、
ここにおいて、前記第１のキャパシタの第２のノードおよび前記第１の抵抗器の第２のノードが接地ノードに結合された、Ｃ２１に記載の装置。
［Ｃ２３］
前記第１のトランジスタが、前記双二次増幅器からの前記電圧信号に基づいて動作するとき、前記第１のトランジスタが、前記第１のキャパシタおよび前記第１の抵抗器に向かって前記第１のトランジスタの前記ドレインから前記ソースへ前記第１の電流信号を流すように構成され、
ここにおいて、前記第１のトランジスタを通って流れる前記第１の電流信号の前記量が、前記第１のキャパシタによって蓄積される前記第１の電流信号に関連するエネルギーの量と、前記第１の抵抗器によって散逸される前記第１の電流信号に関連するエネルギーの量とに基づく、Ｃ２２に記載の装置。
［Ｃ２４］
最高帯域内周波数よりも高い周波数において、前記第１のトランジスタを通って流れる前記第１の電流信号の前記量が、前記双二次増幅器によって受信される前記第２の電流信号の前記量を低減する、Ｃ２３に記載の装置。
［Ｃ２５］
前記第２の導電手段が、第２の抵抗器と、第２のキャパシタと、第３の抵抗器と、第２のトランジスタとを備え、
ここにおいて、前記第２の抵抗器の第１のノードが、前記双二次増幅器の前記出力と前記第１のトランジスタの前記ゲートとに結合され、前記第２の抵抗器の第２のノードが、前記第２のキャパシタの第１のノードと前記第２のトランジスタのゲートとに結合され、
ここにおいて、前記第２のキャパシタの前記第１のノードが、前記第２の抵抗器の前記第２のノードと前記第２のトランジスタの前記ゲートとに結合され、前記第２のキャパシタの第２のノードが前記接地ノードに結合され、
ここにおいて、前記第３の抵抗器の第１のノードが前記第２のトランジスタのソースに結合され、前記第３の抵抗器の第２のノードが前記接地ノードに結合され、
ここにおいて、前記第２のトランジスタの前記ソースが前記第３の抵抗器の前記第１のノードに結合され、
ここにおいて、前記出力電流信号が前記第２のトランジスタのドレインを通って流れる、Ｃ２２に記載の装置。
［Ｃ２６］
前記出力電流信号は、
前記双二次増幅器が、前記第２のトランジスタの前記ゲートに印加されるように前記第２の抵抗器にわたって前記電圧信号を流すことと、
前記第２のトランジスタが、前記第２のトランジスタの前記ゲートに印加された前記電圧信号に基づいて動作し、前記第２のトランジスタの前記ドレインと前記ソースとの間に前記出力電流信号を流すことと、によって前記第１の電流信号の前記線形複製になるように制御される、Ｃ２５に記載の装置。
［Ｃ２７］
前記第２のトランジスタの前記ゲートにおける前記電圧信号の量が、前記第２の抵抗器によって散逸される前記電圧信号に関連するエネルギーの量と、前記散逸の後に前記第２のキャパシタによって蓄積される前記電圧信号に関連するエネルギーの量とに基づく、Ｃ２６に記載の装置。
［Ｃ２８］
前記第２のトランジスタを通って流れる前記出力電流信号の前記量が、前記第３の抵抗器によって散逸される前記出力電流信号に関連するエネルギーの量に基づく、Ｃ２６に記載の装置。
［Ｃ２９］
前記第２のトランジスタのサイズが前記第１のトランジスタのサイズのｎ倍であり、ここで、ｎが実数である、Ｃ２５に記載の装置。
［Ｃ３０］
前記第１の抵抗器の値が前記第３の抵抗器の値のｎ倍であり、ここで、ｎが実数である、Ｃ２５に記載の装置。
【図１】
0006661659.tif 000002
【図２】
0006661659.tif 000003
【図３】
0006661659.tif 000004
【図４】
0006661659.tif 000005
【図５】
0006661659.tif 000006
【図６】
0006661659.tif 000007
【図７】
0006661659.tif 000008